(57)【要約】【課題】  歩行中の地面との接触によって靴に伝われる衝撃を二重に吸収及び緩衝し、足や足裏及び関節部分などの損傷を防止する等の身体の保護と共に、長時間、軽快に歩行することができる衝撃吸収機能及び通気性を有する靴を提供する。【解決手段】  アウトソール１０とミドルソール２０とインソール３０及び甲革４０とを有する靴において、上記ミドルソール２０上に中底５０が設置されていると共に、これらのミドルソール２０の上面と中底５０の下面には衝撃を吸収できるように互いに重ねられる一定の弾性を持つ通気性クッション部材６０、７０がそれぞれ結合され、さらに、中底５０の上面と上記インソール３０の下面には衝撃を緩衝できるように互いに重ねられる格子形態の通気性衝撃吸収部材８０、９０がそれぞれ付着、結合されている。【選択図】  図２
2014033966.tif 000002
【特許請求の範囲】
【請求項１】
地面と接触するアウトソールと、このアウトソールの上部に設置されたミドルソールと、このミドルソール上に設置されて足裏と接触するインソールと、上記ミドルソールに結合されて人の足を包む甲革とから構成されている靴において、上記ミドルソールとインソールとの間に中底が配設されていると共に、これらのミドルソールの上面と中底の下面には歩行時の衝撃を吸収できるように互いに重ね合わされた一定の弾性を有する通気性クッション部材がそれぞれ結合されてあり、さらに、上記中底の上面と上記インソールの下面には衝撃を緩衝するように互いに接離可能に重ね合わされた格子形態の通気性衝撃吸収部材がそれぞれ付着、結合されていること特徴とする衝撃吸収機能及び通気性を有する靴。
【請求項２】
通気性衝撃吸収部材の対向面における外周縁部に周枠部が形成されていると共に周枠部内の対向面には、横方向と縦方向に多数の突条からなる支持部が一定間隔毎に形成されていてこれらの支持部により通気性衝撃吸収部材の対向面に互いに重ね合わせ状態に対向した格子状枠部を形成していると共に格子状枠部によって囲まれた空間をエアー空間部に形成してあり、さらに、上記支持部が交差した部分に支持部の高さよりも高い接触突部を形成していることを特徴とする請求項１に記載の衝撃吸収機能及び通気性を有する靴。
【請求項３】
通気性衝撃吸収部材の対向面に互いに重なり合うように横方向と縦方向に形成されている支持部は、直角形態となるように形成されているか、又は、一定の角度で傾斜した斜線形態に形成されていることを特徴とする請求項１又は請求項２に記載の衝撃吸収機能及び通気性を有する靴。
【請求項４】
ミドルソールは低比重、低軽度ポリウレタンを発泡成形した発泡成形物からなり、このミドルソールの外面にはスパンデックスポリウレタンフィルムコーティング反物が融着、結合されていることを特徴とする請求項１に記載の衝撃吸収機能及び通気性を有する靴。
【発明の詳細な説明】
【技術分野】
【０００１】
本発明は、歩行中に地面との接触から来る衝撃を吸収することができると共に通気性を有する靴に関するものである。
【背景技術】
【０００２】
一般的に、靴は足部の防寒・防暑や、汚れ、浸潤、害毒のある動植物からの保護や、装飾などの目的で着用され、また、その種類は運動靴、ビジネス靴、スリッパ、サンダル等がある。さらに、履く用途によっては歩行用、山岳用、身体矯正用、特定運動用など多様な活動にそれぞれ適合した各種用途の靴が製作されている。
【０００３】
上記の靴は地面と接触するアウトソールと、このアウトソールの上部に設置され、歩行時に足や足裏及び関節などにかかってくる衝撃を吸収するように軽くてクッション性が良好なポリウレタン樹脂を発泡した発泡成形物からなるミドルソールと、このミドルソールの上部に設置されて足裏に接触するインソールと、上記ミドルソールに結合されて人の足を包む甲革( アッパ) とから構成されている。
【０００４】
靴は、人間の身体にとって第二の心臓とも呼ばれるぐらいの大事な部分の足に履かれるもので、履いた状態で着用者が歩行する時に、外部からの衝撃や物等との接触による外傷などを防止する役割だけでなく、歩行時に発生する衝撃から足や足裏及び足首や関節部分、筋肉、靭帯、筋などの身体を保護すると共に軽快な歩行ができるようにするものである。
【先行技術文献】
【特許文献】
【０００５】
【特許文献１】実用新案登録第３１０９６３４号公報
【発明の概要】
【発明が解決しようとする課題】
【０００６】
しかしながら、従来の靴は上記ミドルソールだけでは衝撃を充分に吸収することができず、緩衝性に劣るために、歩行時に地面との接触から発生する衝撃の相当な部分は靴から体に伝わってしまい、上記靴を履いて長時間歩行すると、その衝撃のために足や足裏及び足首、関節部分、筋肉、靭帯、筋などの身体が損傷したり怪我をしたりする問題がある。また、上記の靴に伝わる衝撃のため足などの身体が疲れやすくなり、軽快な歩行を維持することができないため長時間歩くことが困難になる問題もある。
【０００７】
本発明は上記のような従来技術の問題点を解決するために提案されたもので、その目的とするところは、靴を構成するミドルソールやインソール及び中底などに、衝撃を吸収、緩衝する通気性クッション部材と通気性衝撃吸収部材をそれぞれ結合させて、靴を履いて歩行する時に、靴の底面が地面との接触によって発生する衝撃をこれらの通気性クッション部材と通気性衝撃吸収部材によって分散すると共に衝撃を二重に吸収、緩衝して人間の身体を保護し、さらに、靴の内部で空気を循環させて長時間、楽な姿勢で軽快に歩行できるようにした靴衝撃吸収機能及び通気性を有する靴を提供するにある。
【課題を解決するための手段】
【０００８】
上記目的を達成するために、本発明の衝撃吸収機能及び通気性を有する靴は、請求項１に記載したように、地面と接触するアウトソールと、このアウトソールの上部に設置されたミドルソールと、このミドルソール上に設置されて足裏と接触するインソールと、上記ミドルソールに結合されて人の足を包む甲革とから構成されている靴において、上記ミドルソールとインソールとの間に中底が配設されていると共に、これらのミドルソールの上面と中底の下面には歩行時の衝撃を吸収できるように互いに重ね合わされた一定の弾性を有する通気性クッション部材がそれぞれ結合されてあり、さらに、上記中底の上面と上記インソールの下面には衝撃を緩衝するように互いに接離可能に重ね合わされた格子形態の通気性衝撃吸収部材がそれぞれ付着、結合されていること特徴とする。
【０００９】
上記請求項１に記載の衝撃吸収機能及び通気性を有する靴において、請求項２に係る発明は、上記通気性衝撃吸収部材の対向面における外周縁部に周枠部が形成されていると共に周枠部内の対向面には、横方向と縦方向に多数の突条からなる支持部が一定間隔毎に形成されていてこれらの支持部により通気性衝撃吸収部材の対向面に互いに重ね合わせ状態に対向した格子状枠部を形成していると共に格子状枠部によって囲まれた空間をエアー空間部に形成してあり、さらに、上記支持部が交差した部分に支持部の高さよりも高い接触突部を形成していることを特徴とする。
【００１０】
さらに、請求項３に係る発明は、上記通気性衝撃吸収部材の対向面に互いに重なり合うように横方向と縦方向に形成されている支持部は、直角形態となるように形成されているか、又は、一定の角度で傾斜した斜線形態に形成されていることを特徴とする。
【００１１】
また、請求項４に係る発明は、ミドルソールは低比重、低軽度ポリウレタンを発泡成形した発泡成形物からなり、このミドルソールの外面にはスパンデックスポリウレタンフィルムコーティング反物が融着、結合されていることを特徴とする。
【発明の効果】
【００１２】
本発明によると、アウトソールとミドルソール及びインソールと甲革とによって構成された靴において、上記ミドルソールとインソールとの間に中底を介在させていると共に対向するこれらのミドルソールの上面と中底の下面とに通気性クッション部材を互いに重ね合わした状態にしてそれぞれ結合してあり、さらに、上記中底の上面と上記インソールの下面とに、互いに接離可能に重ねあわされた格子形態の通気性衝撃吸収部材がそれぞれ付着、結合しているので、この靴を履いて歩行中に、地面との接触によって靴底に繰り返し発生する衝撃を上記通気性クッション部材と通気性衝撃吸収部材とによって吸収及び緩衝、即ち、靴底全体に分散させることができると同時に衝撃を二重に吸収、緩衝することができて、衝撃による着用者の足や足裏、及び関節部分などの損傷を防止し、身体を保護できる等の効果を奏する。
【００１３】
また、歩行中に靴底に繰り返し懸かる荷重によってミドルソールが厚み方向に弾性的に圧縮、膨張しながらその内部に空気を出入りさせて良好なクッション性を発揮することができると共に、上記通気性クッション部材と通気性衝撃吸収部材とによる衝撃の吸収、緩衝作用と相まって、上記靴を履いて長時間の歩行が可能となるばかりでなく、長時間歩行しても足や足裏、関節部分などの身体に圧迫感や疲れがでるのを抑制しながら軽快な歩行ができる効果もある。
【図面の簡単な説明】
【００１４】
【図１】本発明の衝撃吸収機能及び通気性を有する靴の斜視図。
【図２】その分解斜視図。
【図３】断面図。
【図４】本発明靴における通気性第１、第２衝撃吸収部材の斜視図。
【発明を実施するための形態】
【００１５】
以下、本発明の衝撃吸収機能及び通気性を有する靴は添付されている図１〜図４を参照してより具体的に説明すると次の通りである。
【００１６】
本発明の靴１は、歩行中に地面との接触によって発生する衝撃が身体の足や足裏などに伝わられるのを抑制、即ち、上記の衝撃を吸収及び緩衝できるようにする衝撃吸収機能と通気性を備えた靴である。
【００１７】
この衝撃吸収機能及び通気性を有する靴１の底は、図１〜図３で示したように、地面と接触するアウトソール１０が備えられていると共にこのアウトソール１０の上部（上面）には歩行時に足や足裏及び関節などの身体にかかって来る衝撃を吸収できるようにするミドルソール２０が重ね合わせ状態で設置されてアウトソール10と一体に結合されてあり、さらに、このミドルソール２０上には後述する中底５０を介して身体の足裏と接触するインソール３０と身体の足を包む甲革４０が順次重ね合わせ状態に設置されていると共に、ミドルソール２０の上部側をこの甲革４０に一体に結合させている。
【００１８】
上記ミドルソール２０は、このミドルソール２０の内部に空気が出入り、即ち、往来が可能で、且つ、軽くて弾性的なクッションが良好な物性を有する材料、具体的には、低比重、低軽度ポリウレタンを発泡成形した発泡成形物からなり、この発泡整形物からなるミドルソール２０の外面、即ち、その上面を除いた残りの面にはミドルソール２０の表面を滑らかにし、外部の衝撃を吸収しながら表面張力を高めるために、スパンデックスポリウレタンコーティング反物を融着、結合、または薄いＴＰＵフィルムがコーティング処理されている。
【００１９】
また、上記靴１におけるミドルソール２０とインソール３０との間に、ミドルソール２０とその上面形状が同大、同形で、クッション性、通気性を有する中底５０を介在させてミドルソール２０の上部（上面）にこの中底５０を重ね合わせた状態に設置している。
【００２０】
中底５０は、歩行中に繰り返し発生する靴底に懸かる着用者の荷重及びその荷重が除去される毎に、ミドルソール２０の上面に押し付けられたりミドルソール２０の上面から分離するように、ミドルソール２０の上面に対して接離可能に設置されている。
【００２１】
同様に、歩行中に繰り返し発生する靴底に懸かる着用者の荷重及びその荷重が除去される毎に、上記インソール３０と中底５０が互いに接触、分離されるように、インソール３０は中底５０の上面に対して接離可能に設置されている。
【００２２】
上記の中底５０の外周面は、上記のミドルソール２０と中底５０とが接離することによって形成されるこれらのミドルソール２０と中底５０との間の空間が密閉できるように上記ミドルソール２０と中底５０との外周面を甲革４０に一体に結合されていると共に、これらの外周面が一体に結合された状態で上記インソール３０と中底５０との間の空間に空気が往来（出入り）できるように、中底５０の所定位置には上下面間に亘って多数の空気ホール（図示せず）を貫通、形成している。
【００２３】
上記ミドルソール２０の上面には靴１に伝わる衝撃を吸収及び緩衝できるように一定のクッションを持つ通気性第１クッション部材６０が結合されている一方、上記中底５０の下面には上記ミドルソール２０の通気性第１クッション部材６０上に重ね合わせられてこの通気性第１クッション部材６０と共に歩行時に上記靴１に伝わる衝撃を吸収及び緩衝できるように一定のクッションを持つ通気性第２クッション部材７０が結合されている。
【００２４】
これらの通気性第１クッション部材６０と通気性第２クッション部材７０は、上記靴１に伝わる衝撃を容易に吸収及び緩衝できるようにするために、同一の形相、即ち、同大、同形の形態となるように形成されていて、通気性第１クッション部材６０上に通気性第２クッション部材７０が重ね合わされている。なお、これらの通気性第１、第２クッション部材６０、７０はスポンジや多数の通気用小孔を穿設しているゴム及び軟質の合成樹脂材など、一定の弾性と通気性を持つ材料であれば、どのような材料から形成してもよい。
【００２５】
上記中底５０の上面には地面との接触によって発生する靴１に伝わる衝撃を吸収及び緩衝できるようにするために、格子形態の通気性第１衝撃吸収部材８０が付着、結合されている一方、上記のインソール３０の下面には上記通気性第１衝撃吸収部材８０上に重ね合わせられてこの通気性第１衝撃吸収部材８０と共に歩行時に上記靴１に伝わる衝撃を吸収及び緩衝できるようにする格子形態の通気性第２衝撃吸収部材９０が付着、結合されている。
【００２６】
これらの通気性第１、第２衝撃吸収部材８０、９０は歩行時に靴１に伝わる衝撃を容易に吸収及び緩衝できるようにするために、同一の形相、即ち、同大、同形の形態となるように形成されていて互いに重ね合わされている。なお、上記通気性第１、第２衝撃吸収部材８０、９０はフレキシブルな軟質の合成樹脂材によって形成されている。
【００２７】
上記通気性第１、第２衝撃吸収部材８０、９０は図３及び図４に示すように、その対向面における外周縁部には全体的な形相を形成するための一定高さの周枠部８１、９１が形成されていると共に、これらの周枠部８１、９１で囲まれた対向面に、図４における一部拡大斜視図に示すように、横方向と縦方向とに一定高さの真っ直ぐな突条からなる多数の支持部８２、９２が一定間隔毎にそれぞれ形成されていてこれらの支持部８２、９２により互いに重ね合わせ状態に対向した格子状枠部を形成していると共にこれらの格子状枠部で囲まれた空間を、衝撃を緩和するための空気が存在する多数のエアー空間部８３、９３にそれぞれ形成している。さらに、支持部８２、９２が交差した部分にはこれらの支持部８２、９２の高さよりも高く、且つ、支持部８２、９２の幅よりも大きいサイズの接触突部８４、９４が互いに重なり合った状態となるようにそれぞれ形成されている。
【００２８】
これらの接触突部８４、９４の上面（頂面）には、上記通気性第１、第２衝撃吸収部材８０、９０が重ね合わせられた状態でこれらの通気性第１、第２衝撃吸収部材８０、９０のクッション性を一層高めるために、その中央部に頂面から一定深さを有する凹部８５、９５をそれぞれ形成しているが、上記一方の接触突部８４の頂面に凹部８５を形成する一方、他方の接触突部９４の頂面を凸形相に形成したり、このような凹部や凸形相を設けることなく上記両接触突部８４、９４の頂面を平坦な面に形成しておいてもよく、要するに多様な形態に形成しておくことができる。なお、これらの接触突部８４、９４は、図においては円形状に形成しているが、その他の形状であってもよい。
【００２９】
さらに、通気性第１、第２衝撃吸収部材８０、９０の対向面に互いに重なり合うように横方向、縦方向に形成されている上記支持部８２、９２は互いに直角に交差した直角形態となるように形成されたり、或いは、一定の角度で傾斜した状態で交差した斜線形態に形成されたりするが、これは上記インソール３０と中底５０、及び通気性第１、第２衝撃吸収部材８０、９０の使用目的と効果及び製作環境、購買者の要求条件によって多様な構造を備えるためである。
【００３０】
このように構成した本発明の靴１は、この靴１を履いた状態で歩いたり走ったりするなど歩行する時、その靴底底面が地面との接触によって発生する靴に伝わる衝撃を吸収すると共に通気性を発揮する。
【００３１】
即ち、この靴１に伝わる衝撃は、靴１のアウトソール１０、ミドルソール２０、及びインソール３０、中底５０は勿論、上記ミドルソール２０の通気性第１クッション部材６０及び中底５０の通気性第２クッション部材７０、さらには、中底５０の通気性第１衝撃吸収部材８０とインソール３０の通気性第２衝撃吸収部材９０とによって吸収及び緩衝されて足や足裏及び関節部分、筋肉、靭帯、筋などの身体に伝われるのを遮断することができる。
【００３２】
換言すれば、上記のアウトソール１０とミドルソール２０及びインソール３０、中底５０は一定のクッションを持つ材質で製作されているので、上記靴１に伝われる衝撃は上記の構成、即ち、アウトソール１０とミドルソール２０及びインソール３０、中底５０によって衝撃の一定量が吸収及び緩衝される。
【００３３】
そして上記ミドルソール２０の上面と中底５０の下面には一定のクッションを持つ通気性第１、第２クッション部材６０、７０がそれぞれ結合されているため、靴１が地面と接触する時に、この靴１に懸かる着用者の荷重によって上記ミドルソール２０と中底５０が密着されるのと同時に上記通気性第１、第２クッション部材６０、７０は重ねられた状態で互いに押圧され、上記の靴１に伝われる衝撃を一定量、これらの通気性第１、第２クッション部材６０、７０によって吸収、緩衝される。
【００３４】
さらに、上記中底５０の上面と上記インソール３０の下面に格子形態の通気性第１、第２衝撃吸収部材８０、９０がそれぞれ結合されているため、靴１が地面と接触する時に、靴１にかかってくる着用者の荷重によって上記中底５０とインソール３０の対向面に設けている上記通気性第１、第２衝撃吸収部材８０、９０も密着して衝撃を吸収及び緩衝、即ち上記通気性第１、第２衝撃吸収部材８０、９０自体の弾性力及びこれらの第１、第２衝撃吸収部材８０、９０の対向する接触突部８４、９４同士の圧接によるクッション作用によって衝撃の一定量を吸収、緩衝される。
【００３５】
これと同時に、上記中底５０に対してインソール３０がその下面に設けている通気性第２衝撃吸収部材９０の接触突部９４を、この接触突部９４と対向して中底５０の上面に設けている通気性第２衝撃吸収部材８０の各接触突部８４上で水平方向にスライディングさせながらその動きによって上記の中底５０とインソール３０の間、即ち、通気性第１、第２衝撃吸収部材８０、９０の対向面間にある格子状に形成された上記エアー空間部８３、９３内の空気層の圧力を上昇させると共に圧縮された空気を地面から浮いている圧力が低い隣接するエアー空間部９３、９３側に支持部８２、９２を乗り越えながら流通、循環させて靴１に伝われる衝撃を靴底全体に均等に分散させると同時に、地面と接触した靴底部分においては、エアー空間部８３、９３内の空気層が圧縮されてエアークッション作用を発揮し、上記衝撃を吸収及び緩衝させることができる。
【００３６】
さらに、下面に通気性第２衝撃吸収部材９０を設けている上記インソール３０として、例えば、メッシュ素材のような通気性材料から形成しておくことによって、このインソール３０と通気性第２衝撃吸収部材９０、上面に通気性第１衝撃吸収部材８０を設けている通気性を有する中底５０、及び、上記通気性第１、第２クッション部材６０、７０とで空気が自由に循環できる靴底部が形成され、インソール３０と足裏接触面との間に空気が流動して通気性、吸汗性を奏し、履き心地が良好な靴を提供することができる。
【００３７】
また、上記のように歩行中、地面と接触することによって発生する靴に伝わる衝撃は、上記通気性第１、第２衝撃吸収部材８０、９０によって靴底全体に均等に分散され、衝撃率を低めるだけでなく、上記の靴１の各構成、即ち、アウトソール１０とミドルソール２０及びインソール３０、中底５０は勿論、上記通気性第１、第２クッション部材６０、７０及び通気性第１、第２衝撃吸収部材８０、９０によって衝撃を吸収及び緩衝することで、このような衝撃吸収機能及び通気性を有する靴１を履いて歩行する時、衝撃によって身体が損傷されるのを防止するなど身体を衝撃から保護するだけでなく足や足裏など身体の圧迫感と疲労感がないので長時間楽な状態で歩行できる。      
【００３８】
このように本発明の衝撃吸収機能及び通気性を持つ靴は、例示した図面を参照して説明したが、この明細書に記載した実施例と図面から見た靴の構造に本発明は限定されることなく、本発明の技術範囲内で当業者によって多様な変形ができるため本発明の技術的な思想と展望を基にして個別的に理解してはいけない。
【符号の説明】
【００３９】
１  衝撃吸収機能及び通気性を有する靴
１０  アウトソール
２０  ミドルソール
３０  インソール
４０  甲革
５０  中底
６０、７０  通気性第１、第２クッション部材
８０、９０  通気性第１、第２衝撃吸収部材
８１、９１  周枠部
８２、９２  支持部
８３、９３  エアー空間部
８４、９４  接触突部
８５、９５  凹部
【図１】
2014033966.tif 000003
【図２】
2014033966.tif 000004
【図３】
2014033966.tif 000005
【図４】
2014033966.tif 000006